(57)【要約】【課題】物品取り出し時に物品収納空間の区画幅で全開口するスライダーをスライダー停止位置に確実に一時停止させることができるとともに、収納物品を袋底縁から開口端縁まで確実かつ円滑に誘導して簡便に取り出すことができるファスナー付き袋体を提供すること。【解決手段】合成樹脂からなる矩形状袋本体１１０の開口端縁Ｍをスライダー１３０で開閉するファスナー１２０が設けられるとともに、物品収納空間Ｓの区画幅で全開口となるスライダー停止位置情報１５１などを表示する取り出し情報表示部１５０が各区画ごとに設けられ、矩形状袋本体１１０を区画して複数の物品収納空間Ｓを形成する仕切り壁１４０が、矩形状袋本体１１０の袋底縁Ｂから開口端縁Ｍに向けて垂線状に延びる物品収納壁部分１４１と該物品収納壁部分１４１から開口端縁Ｍまで次期取り出し側に向けて傾斜状に延びる物品誘導壁部分１４２とで構成されているファスナー付き袋体１００。【選択図】図１
2008001410.tif 000002
【特許請求の範囲】
【請求項１】
合成樹脂からなる矩形状袋本体と、該矩形状袋本体の開口端縁に沿って一連かつ一直線状に設けたファスナーと、該ファスナーに係合摺動してファスナーを開閉するスライダーと、前記開口端縁に沿って矩形状袋体内を区画して複数の物品収納空間を形成する仕切り壁とを備えてなるファスナー付き袋体において、
前記物品収納空間の区画幅で全開口となるスライダー停止位置情報を少なくとも表示する取り出し情報表示部が、前記開口端縁に沿って各区画ごとに設けられているとともに、
前記仕切り壁が、前記矩形状袋本体の袋底縁から開口端縁に向けて垂線状に延びて物品収納時に隣り合う物品収納空間における収納物品の相互移動を阻止する物品収納壁部分と該物品収納壁部分から開口端縁まで次期取り出し側に向けて傾斜状に延びて物品取り出し時に収納物品を開口端縁へ誘導する物品誘導壁部分とで構成されていることを特徴とするファスナー付き袋体。
【請求項２】
前記物品誘導壁部分に沿って物品誘導壁部分から袋底縁へ延びる仮想延長斜線が、前記袋底縁と最初に交差するように指向していることを特徴とする請求項１記載のファスナー付き袋体。
【発明の詳細な説明】
【技術分野】
【０００１】
本発明は、仕切り壁を有するファスナー付き袋体に関し、特に、利用者が、区画された物品収納空間ごとに収納されている物品を所定時間間隔を置いて順次使い切って使用する形態で用いられるファスナー付き袋体に関する。
【背景技術】
【０００２】
従来、透明又は半透明の柔軟な合成樹脂製の収納袋の開口部に密封開閉可能に開閉ファスナーを設け、複数個の収納袋を一体に連結して一枚のシート状体に形成し、かつ、収納袋相互間に連結部を設けて該連結部から折畳可能に設けた整理用収納袋が知られている（例えば、特許文献１参照）。
【０００３】
また、シート材の上縁部に沿って設けられた開閉自在なファスナ部とこのファスナ部の開放および閉止を近接して同時に行いながらファスナ部に沿ってスライド可能に設けた開閉部材とを備えたスライドファスナ付き合成樹脂製袋が知られている（例えば、特許文献２参照）。
【特許文献１】登録実用新案第３０１０２１８号公報
【特許文献２】特開２０００−１４２７３３号公報
【発明の開示】
【発明が解決しようとする課題】
【０００４】
ところが、前述した特許文献１に示す従来の整理用収納袋では、それぞれの収納袋ごとに開閉用ファスナーが付属しており、袋製造時にそれぞれの収納袋に対する開閉用ファスナーの組みつけ作業が大きな製造負担となるため、開閉用ファスナーの付属数分だけ製造コストが高価になるという収納袋製造上の問題があり、また、それぞれの収納袋を開口して収納物品などを取り出す際に開閉用ファスナーの存在などが開口操作の障害となって十分な開口状態を確保することができないという収納袋の取り扱い上の問題があった。
【０００５】
また、前述した特許文献２に示す従来のスライドファスナ付き合成樹脂製袋では、スライドさせるスライドファスナの貫通孔を通じて袋体の収納物を取り出すように構成されているため、スライドファスナが貫通孔を備えた複雑な構造となるという製造上の厄介な問題があり、また、粉末状の収納物品である場合にはスライドファスナの貫通孔近辺に残留する虞れがあり、貫通孔を通すことができない寸法形状を有する収納物品の場合は使用できないという制約的な取り扱い上の問題があった。
【０００６】
そこで、本発明は、上述したような課題を解決するものであって、すなわち、本発明の目的は、物品取り出し時に物品収納空間の区画幅で全開口するスライダーをスライダー停止位置に確実に一時停止させることができるとともに、収納物品を袋底縁から開口端縁まで確実かつ円滑に誘導して簡便に取り出すことができるファスナー付き袋体を提供することにある。
【課題を解決するための手段】
【０００７】
本請求項１に係る発明は、合成樹脂からなる矩形状袋本体と、該矩形状袋本体の開口端縁に沿って一連かつ一直線状に設けたファスナーと、該ファスナーに係合摺動してファスナーを開閉するスライダーと、前記開口端縁に沿って矩形状袋体内を区画して複数の物品収納空間を形成する仕切り壁とを備えてなるファスナー付き袋体において、前記物品収納空間の区画幅で全開口となるスライダー停止位置情報を少なくとも表示する取り出し情報表示部が、前記開口端縁に沿って各区画ごとに設けられているとともに、前記仕切り壁が、前記矩形状袋本体の袋底縁から開口端縁に向けて垂線状に延びて物品収納時に隣り合う物品収納空間における収納物品の相互移動を阻止する物品収納壁部分と該物品収納壁部分から開口端縁まで次期取り出し側に向けて傾斜状に延びて物品取り出し時に収納物品を開口端縁へ誘導する物品誘導壁部分とで構成されていることによって、上記目的を達成するものである。
【０００８】
また、本請求項２に係る発明のファスナー付き袋体は、本請求項１の発明の構成に加えて、前記物品誘導壁部分に沿って物品誘導壁部分から袋底縁へ延びる仮想延長斜線が、前記袋底縁と最初に交差するように指向していることによって、上記目的を達成するものである。
【発明の効果】
【０００９】
本発明のファスナー付き袋体は、合成樹脂からなる矩形状袋本体と、該矩形状袋本体の開口端縁に沿って一連かつ一直線状に設けたファスナーと、このファスナーに係合摺動してファスナーを開閉するスライダーと、前記開口端縁に沿って矩形状袋体内を区画して複数の物品収納空間を形成する仕切り壁とを備えていることにより、物品収納空間ごとに収納物品を区分け管理できるとともに、以下のような本発明に特有の効果を奏することができる。
【００１０】
すなわち、本請求項１に係る発明のファスナー付き袋体によれば、物品収納空間の区画幅で全開口となるスライダー停止位置情報を少なくとも表示する取り出し情報表示部が開口端縁に沿って各区画ごとに設けられていることにより、物品取り出し時に物品収納空間の区画幅で全開口するスライダーをスライダー停止位置に確実に一時停止させることができるとともに、次期取り出し対象となる収納物品の不用意な外部飛び出しを阻止でき、しかも、物品取り出し時にスライダー停止位置情報に加えて取り出し時期情報などの取り出しに必要な取り出し情報を視覚的あるいは触覚的に簡便に確認できるので収納物品の誤用を未然に防止することができる。
【００１１】
また、仕切り壁が矩形状袋本体の袋底縁から開口端縁に向けて垂線状に延びる物品収納壁部分と該物品収納壁部分から開口端縁まで次期取り出し側に向けて傾斜状に延びる物品誘導壁部分とで構成されていることにより、物品収納時に隣り合う物品収納空間における収納物品の相互移動を阻止できるため、物品収納空間ごとに収納物品を確実に区分け管理でき、また、取り出し直前の物品誘導壁部分が物品収納壁部分に対して「く」の字に変向しているため、物品取り出し時に収納物品が矩形状袋本体の袋底縁周辺に存在していても取り出し速度が前述した「く」の字領域で必然的に変速することになって使用者に注意を喚起する機能を発揮し、収納物品を袋底縁から開口端縁まで確実かつ円滑に誘導して簡便に取り出すことができる。
【００１２】
さらに、本請求項２に係る発明のファスナー付き袋体は、本請求項１の発明の構成に加えて、前記物品誘導壁部分に沿って物品誘導壁部分から袋底縁へ延びる仮想延長斜線が、前記袋底縁と最初に交差するように指向していることにより、仮想延長斜線に沿って物品取り出し時に物品収納空間を物品誘導壁部分から袋底縁まで確実に開口させることができるため、袋底縁近傍の収納物品を袋底縁から開口端縁に向かって確実に取り出すことができる。
【発明を実施するための最良の形態】
【００１３】
本発明は、合成樹脂からなる矩形状袋本体とこの矩形状袋本体の開口端縁に沿って一連かつ一直線状に設けたファスナーと該ファスナーに係合摺動してファスナーを開閉するスライダーと開口端縁に沿って矩形状袋体内を区画して複数の物品収納空間を形成する仕切り壁とを備えてなるファスナー付き袋体において、物品収納空間の区画幅で全開口となるスライダー停止位置情報を少なくとも表示する取り出し情報表示部が、開口端縁に沿って各区画ごとに設けられているとともに、仕切り壁が、矩形状袋本体の袋底縁から開口端縁に向けて垂線状に延びて物品収納時に隣り合う物品収納空間における収納物品の相互移動を阻止する物品収納壁部分と該物品収納壁部分から開口端縁まで次期取り出し側に向けて傾斜状に延びて物品取り出し時に収納物品を開口端縁へ誘導する物品誘導壁部分とで構成されて、物品取り出し時に物品収納空間の区画幅で全開口するスライダーをスライダー停止位置に確実に一時停止するとともに、収納物品を袋底縁から開口端縁まで確実かつ円滑に誘導して簡便に取り出すものであれば、その具体的な実施の態様は如何なるものであっても何ら構わない。
【００１４】
まず、本発明のファスナー付き袋体における矩形状袋本体の具体的な形態については、合成樹脂からなる矩形状袋本体の開口端縁に沿って一連かつ一直線状にファスナーを設けるとともに開口端縁に沿って矩形状袋体内を区画して複数の物品収納空間を形成する仕切り壁を設けることができれば、その縦横寸法比などの全体形態は如何なるものであっても良く、また、区画された物品収納空間の縦横寸法比なども如何なるものであっても良いが、開口端縁に向けて細長な物品収納空間が形成されている場合には、収納物品を袋底縁から開口端縁まで確実かつ円滑に誘導して簡便に取り出すことができるという本発明の効果をより良く発揮することができる。
【００１５】
そして、前記仕切り壁の具体的な形態は、接着材等により袋本体の内側を接着加工にて形成しても良いし、袋本体を熱で溶かすようなヒートシールと称する溶着加工により形成するようにしても良く、また、仕切り壁を構成する物品収納壁部分と物品誘導壁部分との設置配分については、収納物品を袋底縁から開口端縁まで確実かつ円滑に誘導して簡便に取り出すことができる設置配分であれば、何ら差し支えないが、物品収納壁部分に比して物品誘導壁部分の設置配分を多くした場合には、袋底縁近傍の収納物品を袋底縁から開口端縁に向かってより確実かつ簡便に取り出すことができる。
【００１６】
さらに、前記物品誘導壁部分に沿って物品誘導壁部分から袋底縁へ延びる仮想延長斜線の具体的な設置角度については、袋底縁と最初に交差するように指向して袋底縁近傍の収納物品を袋底縁から開口端縁に向かって取り出すことができば何ら差し支えないが、開口端縁と仮想延長斜線とのなす挟角αが６０度程度であれば更に使い勝手が良い。
【００１７】
また、本発明のファスナー付き袋体におけるスライダーの具体的な形態については、ファスナーに係合摺動してファスナーを開閉するものであれば如何なる形態であっても差し支えないが、電車、バス、自動車のような乗物や、犬、猫、ウサギのような動物をデザイン化した形態を備えた場合には子供や女性等に興趣や遊び心を付加することができるので、より好ましい。
【００１８】
さらに、本発明のファスナー付き袋体における取り出し情報表示部の具体的な形態については、開口端縁に沿った各区画ごとにスライダー停止位置情報を少なくとも表示するものであれば、取り出し時期情報などの取り出しに必要な如何なる取り出し情報を表示するものであっても良く、また、これらの取り出し情報が視覚的に表示されるだけでなく、点字によって触覚的に表示される場合には、視覚障害者にも愛用されるのでより好ましい。
【００１９】
以下、本発明の実施の形態について添付図面を参照して説明する。
まず、図１乃至図３は、本発明の一実施例であるファスナー付き袋体を示すものであって、図１は、ファスナー付き袋体の全体構成図であり、図２は、スライダー停止位置を示す説明図であり、図３は、ファスナー付き袋体の使用態様図である。
【００２０】
図１に示す本発明の一実施例であるファスナー付き袋体１００は、粒状やカプセル等のサプリメントや薬等の収納物品Ｔを収納するものであって、特に、利用者が、区画された物品収納空間Ｓごとに収納されているサプリメントや薬を所定時間間隔を置いて順次使い切って使用する形態で適用されるものである。
【００２１】
本実施例のファスナー付き袋体１００は、合成樹脂からなる横長の矩形状袋本体１１０と、この矩形状袋本体１１０の開口端縁Ｍに沿って一連かつ一直線状に設けたファスナー１２０と、このファスナー１２０に係合摺動してファスナー１２０を開閉する合成樹脂製のスライダー１３０と、前記開口端縁Ｍに沿って矩形状袋体１１０内を区画して複数の物品収納空間Ｓ（Ｓ１〜Ｓ４）をそれぞれ形成する仕切り壁１４０（１４０Ａ〜１４０Ｃ）とを備え、物品収納空間Ｓ（Ｓ１〜Ｓ４）ごとに収納物品Ｔ（Ｔ１〜Ｔ８）を区分け管理できるようになっている。
【００２２】
そして、前述した物品収納空間（Ｓ１〜Ｓ４）の区画幅で全開口となるスライダー停止位置情報１５１と取り出し時期情報１５２とを表示する取り出し情報表示部１５０が開口端縁Ｍに沿って各区画ごとに設けられ、物品取り出し時に物品収納空間Ｓ（Ｓ１〜Ｓ４）の区画幅で全開口するスライダー１３０をスライダー停止位置情報１５１に基づいて確実に一時停止させるとともに、次期取り出し対象となる収納物品Ｔ（Ｔ１〜Ｔ８）の不用意な外部飛び出しを阻止し、しかも、物品取り出し時にスライダー停止位置情報１５１に加えて、後述するような取り出し時期などの取り出しに必要な取り出し時期情報１５２を視覚的かつ触覚的に簡便に確認できるようになっている。
なお、図１の取り出し情報表示部１５０に図示した△印は、視覚障害者のために取り出し時期情報１５２を表示した点字であり、本実施例のファスナー付き袋体１００が視覚障害者にも愛用されるようになっている。
【００２３】
すなわち、図１に示す本実施例の取り出し情報表示部１５０は、例えば、シール等により実現され、スライダー１３０を停止させる位置を示す内容として、スライダー１３０の横幅と同じ間隔の位置決め線に合せてスライダーを停止させるための「スライダー停止位置情報１５１」という文字情報が印刷されている。
【００２４】
また、前述の取り出し情報表示部１５０（１５０Ａ〜１５０Ｄ）は、単に、スライダー停止位置情報１５１を示すだけでなく、物品収納空間に収納されている収納物品Ｔの使用時期となる取り出し時期情報１５２（１５２Ａ〜１５２Ｄ）を示している。
すなわち、図１に示す実施例のファスナー付き袋体１００では、物品収納空間Ｓ１に収納されている物品が「朝食前」（１５２Ａ）に使用されることを、物品収納空間Ｓ２に収納されている物品が「朝食後」（１５２Ｂ）に使用されることを、物品収納空間Ｓ３に収納されている物品が「昼食後」（１５２Ｃ）に使用されることを、物品収納空間Ｓ４に収納されている物品が「夜食後」（１５２Ｄ）に使用されることをそれぞれ表示するために、前述したようなシール等の各取り出し情報表示部（１５０Ａ〜１５０Ｄ）ごとに「朝食前」，「朝食後」，「昼食後」，「夜食後」という文字情報が印刷されている。
【００２５】
つぎに、本実施例のファスナー付き袋体１００が最も特徴とする仕切り壁１４０（１４０Ａ〜１４０Ｃ）の具体的形態について以下に詳しく説明する。
すなわち、仕切り壁１４０（１４０Ａ〜１４０Ｃ）は、合成樹脂フィルムからなる矩形状袋本体１１０の袋底縁Ｂから開口端縁Ｍに向けて垂線状に延びる物品収納壁部分１４１とこの物品収納壁部分１４１から開口端縁Ｍまで次期取り出し側に向けて傾斜状に延びる物品誘導壁部分１４２とで構成されている。
ここで、前記仕切り壁１４０については、合成樹脂フィルムからなる矩形状袋本体１１０を熱溶着（ヒートシール）により形成しているが、これ以外の接着により形成しても何ら構わない。
【００２６】
そして、これらの物品収納壁部分１４１と物品誘導壁部分１４２とが、物品収納時に隣り合う物品収納空間Ｓ（Ｓ１〜Ｓ４）における収納物品Ｔ（Ｔ１〜Ｔ８）の相互移動を阻止して、物品収納空間Ｓ（Ｓ１〜Ｓ４）ごとに収納物品Ｔ（Ｔ１〜Ｔ８）を確実に区分け管理するようになっている。
また、これらの物品収納壁部分１４１と物品誘導壁部分１４２とは、取り出し直前の物品誘導壁部分１４２が物品収納壁部分１４１に対して「く」の字に変向しているため、物品取り出し時に収納物品Ｔ（Ｔ１〜Ｔ８）が矩形状袋本体１１０の袋底縁Ｂ周辺に存在していても取り出し速度が前述した「く」の字領域で必然的に変速することになって使用者に注意を喚起する機能を発揮し、収納物品Ｔ（Ｔ１〜Ｔ８）を袋底縁Ｂから開口端縁Ｍまで確実かつ円滑に誘導して簡便に取り出せるようになっている。
【００２７】
さらに、前述した物品誘導壁部分１４２に沿って物品誘導壁部分１４２から袋底縁Ｂへ延びる仮想延長斜線Ｌが袋底縁Ｂと最初に交差するように指向していることにより、仮想延長斜線Ｌに沿って物品取り出し時に物品収納空間Ｓを物品誘導壁部分１４２から袋底縁Ｂまで確実に開口させ、袋底縁Ｂ近傍の収納物品Ｔを袋底縁Ｂから開口端縁Ｍに向かって確実に取り出せるようになっている。
すなわち、前述した仮想延長斜線Ｌの具体的な設置角度、すなわち、開口端縁Ｍと仮想延長斜線Ｌとのなす挟角αについては、袋底縁Ｂと最初に交差するように指向して袋底縁Ｂ近傍の収納物品を袋底縁Ｂから開口端縁Ｍに向かって取り出すことができる傾斜角度であれば如何なる傾斜角度であっても何ら差し支えなく、例えば、開口端縁Ｍと仮想延長斜線Ｌとのなす挟角αが６０度程度であれば更に使い勝手が良いのでより好ましい。
【００２８】
このようにして得られた本実施例のファスナー付き袋体１００の使用態様を、図３に示すような収納物品Ｔ（Ｔ１〜Ｔ８）が錠剤からなる飲み薬である場合について以下に詳しく説明する。
まず、利用者は、朝食を食べた後に、図３に示すようなスライダー停止状態のファスナー付き袋体１００を見て、スライダー１３０のスライダー停止位置情報１５１を確認する。このとき、物品収納空間Ｓ２の取り出し情報表示部１５０Ｂのスライダー停止位置情報１５１Ｂに合せてスライダー１３０が停止しているので、利用者は、次に服用する飲み薬が朝食後用の飲み薬（Ｔ３，Ｔ４）であることを確認することができる。
【００２９】
つぎに、利用者は、物品収納空間Ｓ２に収納されている朝食後用の飲み薬Ｔ３及び飲み薬Ｔ４を取り出す為に、スライダー１３０を次のスライダー停止位置１５１Ｃに移動して停止させる。
すなわち、利用者は、スライダー１３０を物品収納空間Ｓ３の取り出し情報表示部１５０Ｃのスライダー停止位置１５１Ｃに合せて停止させる。この時、利用者は次の服薬が昼食後であることを確認することができる。その後、利用者は、物品収納空間Ｓ２の開放された口（間口）から飲み薬Ｔ３及び飲み薬Ｔ４を取り出す。
【００３０】
それ以降も、利用者は、昼食後にスライダー１３０のスライダー停止位置情報１５１を確認して前述したような作業を行うことで、所望の昼食後用の飲み薬（Ｔ５，Ｔ６）を取り出すことができ、この時、利用者は次の服薬が夜食後であることを確認することができる。
【００３１】
このようにして確認及び飲み薬の取り出し作業を利用者が繰り返し行うことにより、薬の飲み忘れや服薬時期の誤りによる誤飲を防止することができる。
また、前述のような確認及び服薬の繰り返し作業において、開放されていない他の物品収納空間Ｓでは、ファスナー１２０が閉じた状態であるので、収納されている薬を間違って取り出して飲んでしまうという事態を防ぐことができる。
【００３２】
さらに、前述の確認及び服薬の繰り返し作業において、例えば、朝食後の飲み薬を取り出そうとして口を広げることによって、後段側に隣接する物品収納空間Ｓ３部分のファスナー１２０が開いてしまうことが懸念されるが、ファスナー１２０を開こうとする力は、仕切り壁１１０Ｂで遮断されるため、物品収納空間Ｓ３の取り出し情報表示部１５０Ｃのスライダー停止位置情報１５１に合せて停止しているスライダー１３０は動かず停止したままであり、人がスライダー１３０を意識して動かさなければファスナー１２０が開ききってしまうことはない。
【００３３】
なお、近年では、利用者による入力情報に基づき個々の症状に合せてサプリメントを調合して販売する自動販売機が提供されつつあり、このような自動販売機に本実施例のファスナー付き袋体１００を適用した場合、ディスポーザブル形式を考慮し、前述した実施例のように、スライダー停止位置情報１５１と合せて取り出し時期情報１５２を示す取り出し情報表示部１５０を用意するのではなく、スライダー停止位置情報１５１だけ示す取り出し情報表示部１５０を用意するとともに、「朝」、「昼」、「夜」等の使用時期を示した紙媒体などを各物品収納空間ごとに薬と一緒に封入するようにしても良い。
【００３４】
また、前述したような実施例のファスナー付き袋体１００では、仕切り壁１４０が３つある場合を例示したが、これに限定されず、増減あるいは仕切り壁１４０を１つだけ有している構成にしても良い。
【００３５】
さらに、前述したスライダー停止位置情報１５１を示す取り出し情報表示部１５０を電車やバス等のステーションをイメージする形に表示することにより、興趣を持たせることができる。さらに、取り出し情報表示部１５０だけでなく、前述したスライダー１３０を電車やバスを模倣した形に成形することにより、より一層興趣を持たせることができる。
また、前述のようにスライダー１３０を電車やバスのような乗物以外に、犬、猫、ウサギのような動物をデザイン化したものとしたり、収納される収納物品Ｔに関する情報表示もデザイン化したものとしてもよい。例えば、収納物品Ｔが薬である場合には、時計表示などが考えられる。これにより、スライダーのステーションという遊び心に加えて、更なる遊び心並びに癒し効果を付与することができる。特に、子供や女性等に好まれ、販売促進を図ることができる。
【００３６】
以上のようにして得られた本実施例のファスナー付き袋体１００は、仕切り壁１４０が、矩形状袋本体１１０の袋底縁Ｂから開口端縁Ｍに向けて垂線状に延びて物品収納時に隣り合う物品収納空間Ｓにおける収納物品Ｔの相互移動を阻止する物品収納壁部分１４１と該物品収納壁部分１４１から開口端縁Ｍまで次期取り出し側に向けて傾斜状に延びて物品取り出し時に収納物品Ｔを開口端縁へ誘導する物品誘導壁部分１４２とで構成されていることによって、物品取り出し時に物品収納空間Ｓの区画幅で全開口するスライダー１３０をスライダー停止位置に確実に一時停止することができるとともに、収納物品Ｔを袋底縁Ｂから開口端縁Ｍまで確実かつ円滑に誘導して簡便に取り出すことができるなど、その効果は甚大である。
【００３７】
つぎに、図４は、本発明の他の実施例であるファスナー付き袋体２００を示すものであって、使用態様図である。
本実施例のファスナー付き袋体２００は、上述した図１乃至図３に示すファスナー付き袋体１００と基本的に同じ袋構造であって、合成樹脂からなる横長の矩形状袋本体２１０と、この矩形状袋本体２１０の開口端縁Ｍに沿って一連かつ一直線状に設けたファスナー２２０と、このファスナー２２０に係合摺動してファスナー２２０を開閉する合成樹脂製のスライダー２３０と、前記開口端縁Ｍに沿って矩形状袋体２１０内を区画して複数の物品収納空間Ｓ（Ｓ１〜Ｓ４）をそれぞれ形成する仕切り壁２４０（１４０Ａ〜１４０Ｃ）とを備え、物品収納空間Ｓ（Ｓ１〜Ｓ４）ごとに収納物品Ｔ（Ｔ１〜Ｔ８）を区分け管理できるようになっている。
【００３８】
すなわち、本実施例のファスナー付き袋体２００は、合成樹脂フィルムからなる矩形状袋本体２１０に熱溶着（ヒートシール）により形成される仕切り壁２４０（２４０Ａ〜２４０Ｃ）の具体的形態が、上述したファスナー付き袋体１００の仕切り壁１４０（１４０Ａ〜１４０Ｃ）と異なり、矩形状袋本体２１０の袋底縁Ｂから開口端縁Ｍに向けて垂線状に延びる物品収納壁部分２４１とこの物品収納壁部分２４１から開口端縁Ｍまで次期取り出し側に向けて傾斜状に延びる物品誘導壁部分２４２とを同程度の寸法割合で形成したことによって、仮想延長斜線Ｌに沿って物品取り出し時に物品収納空間Ｓを物品誘導壁部分２４２から袋底縁Ｂまでより確実に開口させ、袋底縁Ｂ近傍の収納物品Ｔを袋底縁Ｂから開口端縁Ｍに向かって確実に取り出すことができるなど、その効果は甚大である。
【図面の簡単な説明】
【００３９】
【図１】本発明の一実施例であるファスナー付き袋体の全体構成図。
【図２】スライダーの停止位置を示す説明図。
【図３】図１に示すファスナー付き袋体の使用態様図。
【図４】本発明の他の実施例であるファスナー付き袋体の使用態様図。
【符号の説明】
【００４０】
１００、２００・・・ファスナー付き袋体
１１０、２１０・・・矩形状袋本体
１２０、２２０・・・ファスナー
１３０、２３０・・・スライダー
１４０（１４０Ａ〜１４０Ｃ）、２４０（２４０Ａ〜２４０Ｃ）・・・仕切り壁
１４１、２４１・・・物品収納壁部分
１４２、２４２・・・物品誘導壁部分
１５０（１５０Ａ〜１５０Ｄ）、２５０・・・取り出し情報表示部
１５１（１５１Ａ〜１５１Ｄ）、２５１・・・スライダー停止位置情報
１５２（１５２Ａ〜１５２Ｄ）、２５２・・・取り出し情報
Ｓ（Ｓ１〜Ｓ４）・・・物品収納空間
Ｔ（Ｔ１〜Ｔ８）・・・収納物品
Ｍ・・・開口端縁
Ｂ・・・底端縁
α・・・挟角（傾斜角度）
【図１】
2008001410.tif 000003
【図２】
2008001410.tif 000004
【図３】
2008001410.tif 000005
【図４】
2008001410.tif 000006